(57)【要約】【課題】ケースの封印に必要な構成を簡素化するとともに、保守や再組立ての際のケースの分解も容易に行うことができるケースおよびその封印構造を提供する【解決手段】上下の容器１、２からなるケース３の表面に固定されたシート状の封印シール５を切断する回転自在のカッター１０と、ケース３の封印シール５によって覆われた箇所を覆う回転自在の封印カバー１１とを有し、封印カバー１１とカッター１０との間に、カッター１０の封印シール５から離れる方向への回転又はカッター１０の封印シール５へ接近する方向への回転の際に、封印カバー１１からカッター１０に伝達される回転力を調整する回転制御手段１００を設ける。【選択図】図１
2015181834.tif 000002
【特許請求の範囲】
【請求項１】
上下の容器の間に被収容物を収容するケースの合わせ目を跨いで前記上下の容器の表面に固定されたシート状の封印シールを切断する回転自在なカッターと、前記封印シールによって覆われた前記容器の合わせ目を覆う回転自在な封印カバーとを有するケース封印構造であって、
前記封印カバーと前記カッターとの間に、前記カッターの前記封印シールから離れる方向への回転又は前記カッターの前記封印シールへ接近する方向への回転の際に、前記封印カバーからカッターに伝達される回転力を調整する回転制御手段を設けたことを特徴とするケース封印構造。
【請求項２】
前記回転制御手段は、
前記カッターに設けられたレバー部と、
前記封印カバー内に設けられて該封印カバーの閉じる方向への回転時に前記レバー部に当接するカッター操作部と、
前記カッターの前記封印シールから離れる方向への回転を規制するストッパと、を有し、
前記封印カバーを閉じる場合に、前記カッターを前記ストッパに当接させることで前記封印シールから離れる方向への回転を所定の回転位置に規制するとともに、前記カッターを越えた前記カッター操作部の移動を許容し、一方、前記封印カバーを開ける場合に、カッター操作部の押圧により前記カッターを封印シールへ接近する方向へ回転させることを特徴とする請求項１に記載のケース封印構造。
【請求項３】
前記回転制御手段は、前記封印カバーを閉じる場合に、前記ストッパを越えた前記カッター操作部の移動を許容するために、前記カッター又は前記カッター操作部の当接部の少なくとも一方を弾性変形可能に形成するとともに、前記カッターと前記カッター操作部との当接面をテーパー面に形成することを特徴とする請求項２に記載のケース封印構造。
【請求項４】
前記カッターは、前記合わせ目の内側の前記容器内に設けられ、前記封印シールと交差する回転軌跡に沿って回転自在に軸支された刃部と、該刃部より大きな回転軌跡の先端部を有し、その先端部が前記容器より突出するように該刃部に固定されかつ前記回転方向に沿って弾性変形自在に設けられた前記レバー部と、を具備することを特徴とする請求項２又は３のいずれか１項に記載のケース封印構造。
【請求項５】
前記回転制御手段でありかつ前記封印カバー内に設けられた前記カッター操作部は、前記カッターのレバー部と交差する回転軌跡を有するように設置されていることを特徴とする請求項２〜４のいずれか１項に記載のケース封印構造。
【請求項６】
前記カッター又は前記カッター操作部の当接部は、前記カバーの閉方向への回転に伴い、前記テーパー面に沿う相対的な移動により前記カバーの前記カッターの回転角度を越える角度の回転を許容するとともに、前記閉方向とは反対の開方向へのカバーの回転に伴い、前記カバーから前記カッターへ前記封印シールを切断するために必要な力より大きな回転力を伝達することを特徴とする請求項３〜５のいずれか１項に記載のケース封印構造。
【請求項７】
前記封印カバーには、前記カッター操作部が前記カッターのレバー部を越えた場合に、前記ケースの本体部に係合して前記封印カバーを密閉するロック爪が設けられていることを特徴とする請求項２〜５のいずれか１項に記載のケース封印構造。
【請求項８】
前記封印カバーには、装置組み立ての際の開放時に該封印カバーを定位置に保持するためのカバー回転規制手段が設けられていることを特徴とする請求項２〜６のいずれか１項に記載のケース封印構造。
【請求項９】
前記カッターには、装置組み立ての際に該カッターを定位置に保持するためのカッター回転規制手段が設けられていることを特徴とする請求項２〜７のいずれか１項に記載のケース封印構造。
【請求項１０】
被収容物を収容する上下の容器と、
これら上下の容器の合わせ目を跨いで前記上下の容器の表面に固定されたシート状の封印シールを切断する回転自在なカッターと、前記封印シールによって覆われた前記容器の合わせ目を覆う回転自在な封印カバーとを有する封印ケースであって、
前記封印カバーと前記カッターとの間に、前記カッターの前記封印シールから離れる方向へ回転又は前記カッターの前記封印シールへ接近する方向への回転の際に、前記封印カバーからカッターに伝達される回転力を調整する回転制御手段を設けたことを特徴とする封印ケース。
【発明の詳細な説明】
【技術分野】
【０００１】
本発明は、電子部品（ＲＯＭ，ＣＰＵ）及び該電子部品を搭載する基板といった重要な部品を収容する封印ケースおよびその構造に係り、カバーの開封防止を通じて部品の信頼性を保証する技術に関する。
【背景技術】
【０００２】
パチンコ等の遊技機、産業用ロボット、白物家電などの電子機器の生産にあっては、これらの動作を制御する電子部品（ＲＯＭ，ＣＰＵ）あるいはこれを搭載した基板を基板ケース内に収容して出荷することがある。この基板ケースには、収容物の不正な改造を防止して電子器機器の機能を保証するため、あるいは部品に記録された情報を保護するため、基板ケースの開封の有無を確実に判定することのできる封印構造が採用されている。
【０００３】
例えば、特許文献１〜３には、この種の基板ケースを封印する構造に関する技術が開示されている。
特許文献１に示されるケース封印構造では、ケース本体部材からケース蓋部材を開放するために本体封印部に対して、蓋側封印部を開放方向に相対移動させたときに、封印シールカッタが蓋側封印部とともに開放方向に相対移動される。これによって封印シールカッタが、本体側封印部に貼着された封印シールに当接してこれを破断するものである。
引用文献２に示されるケース封印構造では、ケース本体部材からケース蓋部材を開放するために、本体側封印部及び蓋側封印部に対して封印カバーを離脱させる方向へ相対移動させたときに、該封印カバーと一体的に可動体が当該離脱方向に相対移動される。これに連動して切断部材は、揺動部材により揺動変位し、ガイド孔を通過してＩＣタグ封印シールを切断する。
引用文献２に示されるケース封印構造では、ケース本体部材からケース蓋部材を開放するために、封印部に対して封印カバーを離脱させる方向へ相対移動させたときに、該封印カバーと一体的に切断部材が当該離脱方向に相対移動される。これに連動して切断部材は、一方の封印部に貼着された封印シールに当接し、当該離脱方向に沿って封印シールを切断する。
【先行技術文献】
【特許文献】
【０００４】
【特許文献１】特開２０１２−１１０５６４号公報
【特許文献２】特開２０１２−１９８４４号公報
【特許文献３】特開２０１２−１９８４３号公報
【発明の概要】
【発明が解決しようとする課題】
【０００５】
ところで、上記特許文献に示されたケース封印構造では、ケース本体部材からケース蓋部材を開放するために、封印部に対して封印カバーを離脱させる方向へ相対的に直線移動させる動作が必要である。
このため、上記ケース封印構造では、ケース本体部材からケース蓋部材を分解する際に、こじれを発生させる力を加えたとしても、各部材が外れ難く分解に手間がかかるという問題があった。
すなわち、上記ケース封印構造では、封印目的の観点から、ケース本体部材からケース蓋部材を外し難いのは良いが、保守や再組立てを考慮した場合に作業時間が多く掛かってしまうという問題があった。
【０００６】
この発明は、上述した事情に鑑みてなされたものであって、封印カバーの閉鎖又は開封といったケース封印に係る構成を、封印シール切断用カッターの回転動作に連動したものとすることにより封印に係る全体構成を簡素化するとともに、保守や再組立ての際のケース分解も容易に行うことができるケース封印構造を提供する。
【課題を解決するための手段】
【０００７】
上記課題を解決するために、この発明は以下の手段を提案している。
本発明は、上下の容器の間に被収容物を収容するケースの合わせ目を跨いで前記上下の容器の表面に固定されたシート状の封印シールを切断する回転自在なカッターと、前記封印シールによって覆われた前記容器の合わせ目を覆う回転自在な封印カバーとを有するケース封印構造であって、前記封印カバーと前記カッターとの間に、前記カッターの前記封印シールから離れる方向への回転又は前記カッターの前記封印シールへ接近する方向への回転に伴って、前記封印カバーからカッターに伝達される回転力を調整する回転制御手段を設けることを特徴とする。
【発明の効果】
【０００８】
本発明によれば、カッターの封印シールから離れる方向へ回転又は該カッターの封印シールへ接近する方向への回転の際に、これら封印カバーからカッターに伝達される回転力を調整する回転制御手段を設けた構成である。
そして、当該回転制御手段によって、封印カバーを閉じる際にカッターの封印シールから離れる方向へ回転を規制し、封印カバーを開ける際にカッターの封印シールへ接近する方向への回転を許容する設定を行うことができる。
すなわち、本発明では、封印カバーと封印シール切断用のカッターとの間に、封印カバーの回転に連動させる回転制御手段を存在させることより、保守や再組立ての際のケース分解も容易に行うことができるとの効果を奏する。
【図面の簡単な説明】
【０００９】
【図１】本発明の概略構成を示す断面図である。
【図２】本発明の第１実施形態及びその動作を示す斜視図である。
【図３】封印カバーの閉鎖動作を示す斜視図である。
【図４】図３に続く封印カバーの閉鎖動作を示す斜視図である。
【図５】図４に続く封印カバーの閉鎖動作を示す斜視図である。
【図６】カッター回転規制手段を示す断面図である。
【図７】カバー回転規制手段を示す斜視図である。
【図８】カバー回転規制手段の位置を示す断面図である。
【図９】回転制御手段の動作１を示す断面図である。
【図１０】回転制御手段の動作２を示す断面図である。
【図１１】回転制御手段の動作３を示す断面図である。
【図１２】回転制御手段の動作４を示す断面図である。
【図１３】回転制御手段の動作５を示す断面図である。
【図１４】（Ａ）本発明の第１実施形態に係る回転制御手段を示す断面図であって、（Ｂ）は（Ａ）のＸＩＶ（Ｂ）で示す箇所を矢印Ｂ方向から視た図である。
【発明を実施するための形態】
【００１０】
本発明の実施形態について図１を参照して説明する。
図１は、本発明の概要を示す上容器１と下容器２とからなるケース３のケース封印構造Ａであって、上容器１と下容器２とを重ねた際の合わせ目４に、シート状の封印シール５を貼付することで、ケース３内の被収容物となる制御基板Ｃを保護する。
このケース封印構造Ａでは、上容器１及び下容器２の合わせ目４を跨いでケース３の表面に固定された封印シール５を切断する回転自在のカッター１０と、封印シール５によって覆われた容器の合わせ目４を覆う回転自在の封印カバー１１と、これら封印カバー１１とカッター１０との間に設けられた回転制御手段１００と、を具備している。
この回転制御手段１００は、カッター１０の封印シール５から離れる方向（矢印ａ方向）へ回転又はカッター１０の封印シール５へ接近する方向（矢印ｂ方向）への回転の際に、封印カバー１１からカッター１０に伝達される回転力を調整する。
【００１１】
そして、以上のようなケース封印構造Ａでは、封印カバー１１とカッター１０との間の回転制御手段１００によって、封印カバー１１を閉じる際にカッター１０の封印シール５から離れる方向へ回転（封印カバー１１を閉じる方向：矢印ａ方向）を規制し、また、封印カバー１１を開ける際にカッター１０の封印シール５へ接近する方向（封印カバー１１を開ける方向：矢印ｂ方向）への回転を強制する設定を行うことができる。
すなわち、上記ケース封印構造Ａでは、封印カバー１１と封印シール切断用のカッター１０との間に、封印カバー１１の回転に連動させる回転制御手段１００を存在させることより、封印に係る全体構成を簡素化できるとともに保守や再組立ての際のケース分解も容易に行うことができる。
【００１２】
（実施形態１）
本発明の実施形態１について、図２〜図１３を参照して詳細に説明する。
図２は上容器１と下容器２とからなるケース３のケース封印構造Ａを示す斜視図であって、上容器１と下容器２とを重ねた際の合わせ目４に、シート状の封印シール５を貼付することで、ケース３内の被収容物となる制御基板Ｃ（図１参照）を保護している。
【００１３】
このケース封印構造Ａでは、上容器１及び下容器２の合わせ目４を跨いでケース３の表面に固定された封印シール５を切断する回転自在のカッター１０と、封印シール５によって覆われた容器の合わせ目４を覆う回転自在の封印カバー１１と、これら封印カバー１１とカッター１０との間に設けられた回転制御手段１００と、を主な構成要素としている。
【００１４】
カッター１０は、図２に示されるように、合わせ目４の内側のケース３内に設けられ、封印シール５と交差する回転軌跡（符号（イ）で示す）に沿って搖動自在でかつ回転軸１０Ａに回転自在に軸支された刃部１２と、該刃部１２より大きな回転軌跡（符号（ロ）で示す）の先端部１３Ａを有するレバー部１３とを具備する。
このレバー部１３は、図３に示されるように、その先端部１３Ａがケース３を構成する上容器１及び下容器２の間隙３Ａから突出するように該刃部１２に一体に固定されたものであって、その回転軌跡（ロ）に対して弾性変形自在に設けられている。
また、このレバー部１３の先端部１３Ａで、かつ該レバー部１３が封印シール５へ接近する（矢印ｂ方向）側はテーパー面１３Ｂとなっており、該テーパー面１３Ｂは回転軌跡（ロ）の前後方向に傾斜した形状に形成されている（後述する）。
【００１５】
封印カバー１１は、カッター１０の回転軸１０Ａと平行となるようにケース３に設置された回転軸１１Ａを中心に矢印ａ‐ｂ方向に回転自在に設けられたものであって、矢印ａ方向に回転した閉鎖状態で、封印シール５の貼付された容器１、２の合わせ目４を覆う。
また、この封印カバー１１の内側には、該封印カバー１１の側面と垂直な位置関係となるように、カッター１０を操作するためのカッター操作突起１４が立設されている。
【００１６】
このカッター操作突起１４は、図２〜図５に示されるように、カッター１０のレバー部１３と交差する回転軌跡を有するように設置されるとともに、その先端部１４Ａがテーパー面１４Ｂとなっている。
このカッター操作突起１４のテーパー面１４Ｂは、レバー部１３のテーパー面１３Ｂと同様、該レバー部１３の回転軌跡（ロ）の前後方向に傾斜した形状に形成されており、該テーパー面１３Ｂに面接触しかつ摺動するように設けられている（後述する）。
また、このカッター操作突起１４におけるテーパー面１４Ｂの後側は、封印カバー１１の内側面に対して垂直な平坦面１４Ｃとなっており、該平坦面１４Ｃは、封印カバー１１の開放時に、レバー部１３におけるテーパー面１３Ｂの後側に位置する平坦面１３Ｃと面接触して、該レバー部１３を含むカッター１０を、封印シール５へ接近する（矢印ｂ方向）側に強制移動させる。
【００１７】
また、カッター１０におけるレバー部１３の移動経路上には、該カッター１０の矢印ａ方向（カッター１０が封印シール５から離れる方向）への移動を規制するストッパ２０が設けられている。
このストッパ２０は、封印カバー１１が矢印ａ方向に回転して、カッター操作突起１４のテーパー面１４Ｂが、レバー部１３のテーパー面１３Ｂに面接触しかつ摺動した場合に、該レバー部１３の同方向への移動を規制して該レバー部１３を弾性変形させる。そして、カッター操作突起１４は、レバー部１３の弾性変形により、該レバー部１３を乗り越えて封印カバー１１が閉じる方向（矢印ａ方向）への移動が許容され、その結果、封印カバー１１が矢印ａ方向に閉鎖可能となる。
また、このストッパ２０では、レバー部１３を含むカッター１０の矢印ａ方向への移動を規制するだけのものであるので、閉じた後の封印カバー１１が矢印ｂ方向に開放動作して、カッター操作突起１４の平坦面１４Ｃがレバー部１３の平坦面１３Ｃと面接触した場合には、該レバー部１３を含むカッター１０が、封印シール５へ接近する（矢印ｂ方向）側に移動することを規制しない。
【００１８】
以上のようなカッター１０に設けられた弾性変形可能なレバー部１３と、封印カバー１１内に弾性変形可能に設けられた凸状のカッター操作突起１４と、カッター１０の封印シール５から離れる方向（矢印ａ方向）へ回転を規制するストッパ２０とによって、回転制御手段１００が構成される。
すなわち、上記回転制御手段１００では、封印カバー１１を矢印ａ方向に回転させる閉じる動作を行った場合に、封印カバー１１内のカッター操作突起１４の押圧により、カッター１０をストッパ２０に当接させることで封印シール５から離れる方向（矢印ａ方向）へ回転を規制すると同時に、カッター１０のレバー部１３を越えたカッター操作突起１４の移動を許容する。これにより上記回転制御手段１００では、封印カバー１１の閉鎖により、ケース３に貼付されている封印シール５を覆って封印することができる。
【００１９】
また、上記回転制御手段１００では、封印カバー１１を矢印ｂ方向に回転させる開放動作を行った場合に、該封印カバー１１内のカッター操作突起１４が、レバー部１３を介して、ストッパ２０に規制かつ支持されているカッター１０を封印シール５へ接近する方向（矢印ｂ方向）へ押上げ、これによって該カッター１０の刃部１２が封印シール５を切断する。これにより、上記回転制御手段１００では、封印カバー１１を無理に開こうとした場合に、カッター１０により封印シール５が切断されることから、不正開封を見抜くことができる。
【００２０】
また、封印カバー１１の開口周縁部には、図２〜図５に示されるように、カッター操作突起１４が矢印ａ方向に回転してカッター１０のレバー部１３を越えた場合に、ケースの本体部に係合して封印カバー１１を密閉するロック爪２１が設けられている。
このロック爪２１は、上ケース１と下ケース２との間に形成された被係合部２２に係合されるものであって、封印カバー１１を矢印ａ方向に回転して閉鎖した場合に、被係合部２２に係合してその閉鎖状態に保持する。
【００２１】
また、上ケース１の内面と、カッター１０の基端側との間には、図６に示すように、カッター回転規制部材３０が設けられている。
このカッター回転規制部材３０は、上ケース１の内面に形成された球状の凸部３１と、上ケース１の内面に対向するカッター１０表面に形成されて該凸部３１を収容する凹部３２とから構成されるものであって、ケース封印構造の組み立ての際に、カッター１０が定位置（図２及び図３で示される位置）となるように保持する。
また、このカッター回転規制部材３０は、封印カバー１１の開封時に、カッター操作突起１４によって封印シール５へ接近する方向（矢印ｂ方向）へ押上げられた場合に、凸部３１と凹部３２との係合状態が解除され、カッター１０の同方向（矢印ｂ方向）への移動を許容する。
【００２２】
また、上ケース１の内面と、封印カバー１１とともに回転する軸部１１Ｂ（回転軸１０Ａの周囲に設けられる）との間には、図７及び図８に示すように、カバー回転規制部材４０が設けられている。
このカバー回転規制部材４０は、封印カバー１１の軸部１１Ｂの長さ方向に形成された凸部４１と、軸部１１Ｂに対向するように上ケース１に形成されて該凸部４１を収容する凹部４２とから構成されるものであって、ケース封印構造の組み立ての際に、封印カバー１１が開放位置（図７及び図８で示される位置）となるように保持する。
また、このカバー回転規制部材４０は、開放位置にある封印カバー１１が、矢印ｂ方向へ閉鎖する回転動作がなされた場合に、凸部４１と凹部４２との係合状態が解除され、封印カバー１１の同方向（矢印ａ方向）への移動を許容する。
【００２３】
次に、以上のように構成されたケース封印構造の動作について、図９〜図１３を参照して説明する。
（１）全体のアセンブリが完了した場合、ケース封印構造は図９に示されるように封印カバー１１が開放位置にある。この状態では、カッター回転規制部材３０の凸部３１と凹部３２とが係合された状態（図６参照）にあるので、カッター１０が定位置でロックされ、一方、カバー回転規制部材４０の凸部４１と凹部４２とが係合された状態（図７参照）にあるので、封印カバー１１が開放位置でロックされ、このような位置にて、ケース３の合わせ目４への封印シール５の貼付がなされる。
【００２４】
（２）その後、図１０に示されるように、封印カバー１１を閉じるために回転軸１１Ａを中心として矢印ａ方向に回転させると、封印カバー１１内のカッター操作突起１４のテーパー面１４Ｂが、レバー部１３のテーパー面１３Ｂに面接触する。
このとき、レバー部１３の矢印ａ方向側にはストッパ２０が固定されているので、該ストッパ２０によってレバー部１３の同方向への移動が規制される。
そして、この状態で、カッター操作突起１４は、そのテーパー面１４Ｂをレバー部１３のテーパー面１３Ｂに面接触かつ摺動させつつ、該レバー部１３を弾性変形させ、これによって該レバー部１３を乗り越えて封印カバー１１が閉じる方向（矢印ａ方向）への移動が許容される。その結果、図１１に示されるように、封印カバー１１が矢印ａ方向に回転可能となり、該封印カバー１１によって封印シール１２の封印が可能となる。
【００２５】
（３）その後、図１２に示されるように、封印カバー１１が開封（不正開封）のために、封印カバー１１が回転軸１１Ａを中心として矢印ｂ方向に回転させられた場合には、封印カバー１１内のカッター操作突起１４の平坦面１４Ｃが、カッター１０におけるレバー部１３の平坦面１３Ｃと面接触する。
このとき、レバー部１３は（ストッパ２０により）矢印ｂ方向への移動が規制されていないので、カッター操作突起１４の押圧により、該レバー部１３を含むカッター１０が、封印シール５へ接近する（矢印ｂ方向）側に移動する。
【００２６】
（４）そして、図１３に示されるように、カッター１０の矢印ｂ方向に移動することによって、該カッター１０に一体に設けられた刃部１２が、ケース３の合わせ目４を跨いで貼付されたシート状の封印シール５を突き破り、該封印シール５を切断する。そして、この封印シール５の切断により、封印カバー１１を無理に開こうとした場合の不正開封を見抜くことができる。
【００２７】
以上詳細に説明したように第１実施形態に示されるケース封印構造Ａでは、カッター１０の封印シール５から離れる方向（矢印ａ方向）へ回転又は該カッター１０の封印シール５へ接近する方向（矢印ｂ方向）への回転の際に、これら封印カバー１１からカッター１０に伝達される回転力を調整する回転制御手段１００を設けた構成である。
そして、当該回転制御手段１００によって、封印カバー１１を閉じる際にカッター１０の封印シールから離れる方向（矢印ａ方向）へ回転を規制し、封印カバー１１を開ける際にカッター１０の封印シールへ接近する方向（矢印ｂ方向）への回転を許容する設定を行うことができる。
すなわち、第１実施形態に示されるケース封印構造Ａでは、封印カバー１１と封印シール切断用のカッター１０との間に、封印カバー１１の回転に連動させる回転制御手段１００を存在させることより、封印に係る全体構成を簡素化できるとともに保守や再組立ての際のケース分解も容易に行うことができるとの効果を奏する。
【００２８】
（第２実施形態）
次に、本発明の第２実施形態について図１４（Ａ）及び図１４（Ｂ）を参照して説明する。
第２実施形態に示されるケース封印構造Ａ´の回転制御手段１０１が、第１実施形態に示される回転制御手段１００と構成を異にする点はカッター１０及び封印カバー１１内のカッター操作突起１４に関する構成であり、第１実施形態と構成を共通する箇所については同一符号を付し、重複した説明を省略する。
【００２９】
第２実施形態の回転制御手段１０１が、第１実施形態の回転制御手段１００と構成を異にするのは、レバー部１３の先端部１３Ａに位置するテーパー面１３Ｂ´及びカッター操作突起１４の先端部１４Ａに位置するテーパー面１４Ｂ´の傾斜方向である。
具体的には、レバー部１３のテーパー面１３Ｂ´及びカッター操作突起１４のテーパー面１４Ｂ´の傾斜方向は、レバー部１３の回転軌跡（ロ）に対して交差する方向であって、必ずしもレバー部１３の回転軌跡（ロ）に沿う前後方向でなくても良い。これにより、これらテーパー面１３Ｂ´とテーパー面１４Ｂ´とが面接触かつ摺動した場合に、図１４（Ｂ）に示されるように、レバー部１３をその回転軌跡（ロ）に対して交差する側方（図１４（Ｂ）に矢印ｃ方向で示すような図１４の紙面の手前または奥の方向）に移動させて、該レバー部１３を弾性変形させ、これによって封印カバー１１が閉じる方向（矢印ａ方向）へ移動することを許容しても良い。
【００３０】
そして、以上詳細に説明したように第２実施形態に示されるケース封印構造Ａ´では、カッター１０の封印シール５から離れる方向（矢印ａ方向）へ回転又は該カッター１０の封印シール５へ接近する方向（矢印ｂ方向）への回転の際に、これら封印カバー１１からカッター１０に伝達される回転力を調整する回転制御手段１０１を設けた構成である。
そして、当該回転制御手段１０１によって、特に、レバー部１３のテーパー面１３Ｂ´及びカッター操作突起１４のテーパー面１４Ｂ´が面接触かつ摺動した場合に、図１４（Ｂ）に示されるように、レバー部１３をレバー部１３の回転軌跡（ロ）に対して交差する側方（矢印ｃ方向）に移動させて、該レバー部１３を弾性変形させ、これによって封印カバー１１が閉じる方向（矢印ａ方向）へ移動することを許容する設定を行うことができる。
すなわち、第２実施形態に示されるケース封印構造Ａ´では、封印カバー１１と封印シール切断用のカッター１０との間に、封印カバー１１の回転に連動させる回転制御手段１００を存在させることより、封印に係る全体構成を簡素化できるとともに保守や再組立ての際のケース分解も容易に行うことができるとの効果を奏する。
【００３１】
なお、上記実施形態では、レバー部１３に接触するカッター操作突起１４の接触部をテーパー面１４Ｂに形成した。しかし、カッター操作突起１４の接触部がレバー部１３を弾性変形させて該レバー部１３を乗り越えるのであれば、テーパー状であることに限定されず、例えば丸状、角状といった形状であっても良い。
【００３２】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３３】
本発明は、電子部品（ＲＯＭ，ＣＰＵ）及び該電子部品を搭載する基板といった重要部材を内部に収容する封印容器に係り、カバーを開封しようとする不正を防止することができる技術に関する。
【符号の説明】
【００３４】
１  上ケース
２  下ケース
３  ケース
４  合わせ目
５  封印シール
１０  カッター
１１  封印カバー
１２  刃部
１３  レバー部
１３Ｂ  テーパー面
１３Ｂ´テーパー面
１４  カッター操作突起
１４Ｂ  テーパー面
１４Ｂ´テーパー面
２０  ストッパ
２１  ロック爪
１００  回転制御手段
１０１  回転制御手段
Ａ  ケース封印構造
Ａ´ケース封印構造
Ｃ  制御基板
【図１】
2015181834.tif 000003
【図２】
2015181834.tif 000004
【図３】
2015181834.tif 000005
【図４】
2015181834.tif 000006
【図５】
2015181834.tif 000007
【図６】
2015181834.tif 000008
【図７】
2015181834.tif 000009
【図８】
2015181834.tif 000010
【図９】
2015181834.tif 000011
【図１０】
2015181834.tif 000012
【図１１】
2015181834.tif 000013
【図１２】
2015181834.tif 000014
【図１３】
2015181834.tif 000015
【図１４】
2015181834.tif 000016